(57)【要約】【課題】  ファイナライズ処理期間中の消費電力を低減する。【解決手段】  記録媒体３８のファイナライズ処理中、ユーザ入力又は振動検出に応じて、表示装置２６に進行状況を短時間、表示する。ユーザ入力も振動検出もなければ、発光表示装置７０の発光ダイオードでファイナライズ処理の進行状況を表示する。情報を表示しない間、表示装置２６の表示をオフ、又は電源をオフにする。【選択図】  図１
2008171473.tif 000002
【特許請求の範囲】
【請求項１】
電池（４２）で動作する情報記録装置であって、
挿抜可能な記録メディア（３８）に情報を記録する記録手段（３６）と、
前記記録メディアのファイナライズ処理を行うファイナライズ処理手段（３６）と、
ファイナライズ情報を文字又は図形で表示する表示手段（２６）と、
前記ファイナライズ処理中、前記表示手段の表示を部分的に又は間欠的にオフにする制御手段（５０）
とを具備することを特徴とする情報記録装置。
【請求項２】
更に、発光色、点滅又は点灯により前記ファイナライズ処理の状況を表示する発光表示手段（７０）を具備することを特徴とする請求項１に記載の情報記録装置。
【請求項３】
前記表示手段が、表示パネル（２６ａ）とバックライト（２６ｂ）とを具備し、
前記制御手段が、前記バックライトを点灯した状態での前記表示パネルの情報表示と、前記バックライトの点灯のみの状態とを切り換える
ことを特徴とする請求項１又は２に記載の情報記録装置。
【請求項４】
前記表示手段が、表示パネル（２６ａ）とバックライト（２６ｂ）とを具備し、
前記制御手段が、前記バックライトを点灯した状態での前記表示パネルの情報表示と、前記バックライトの部分的な点灯状態での前記表示パネルの一部の表示領域を使った表示とを切り換える
ことを特徴とする請求項１又は２に記載の情報記録装置。
【発明の詳細な説明】
【技術分野】
【０００１】
本発明は、追記型記録ディスクや書き換え回数が制限された書き換え型記録ディスク等のディスク記録媒体に情報を記録する情報記録装置に関する。
【背景技術】
【０００２】
従来、ＤＶＤ（Digital Versatile Disk）などの記録可能光ディスクに映像や音声を記録するビデオカメラが知られている。ＤＶＤビデオフォーマットでデータを記録した場合、一般のＤＶＤビデオプレーヤで再生するためには、ファイナライズ処理が必要となる。
【０００３】
ＤＶＤにデータを記録した後、ファイナライズ処理を実行する技術が、例えば特許文献１に記載されている。また、特許文献１には、ファイナライズ処理の際、バッテリ残量を検出し、残量が少ない場合や外部電源が接続されていない場合などに、警告を表示することが記載されている。
【特許文献１】特開２００４−０９５１６４号公報
【発明の開示】
【発明が解決しようとする課題】
【０００４】
上記従来例では、ファイナライズ処理を開始する際の状況を表示し、ユーザに必要情報を明示する。また、ファイナライズ処理中もファイナライズ処理残時間とバッテリ残量時間を表示する。これにより、ユーザが不意にバッテリを外したり、電源を切るのを抑制する。
【０００５】
また、衝撃を与えることを禁止する警告表示も行う必要があるため、ファイナライズ処理中は、表示装置を使用して情報を表示しなくてはならない。
【０００６】
そのため、カメラ一体型記録再生装置において使われている表示装置の一例である液晶パネルでは、液晶パネルを駆動させるためのドライバーＩＣ、液晶パネル及びバックライト光源への電源供給が必要となる。
【０００７】
ファイナライズ処理中でも、バッテリ駆動機器では、バッテリの消費を防ぐ省電力化が求められるが、他方では、表示装置への電源供給が必要であるという相反する要請を満たさなければならない。
【０００８】
そこで、本発明は、バッテリ動作において、ファイナライズ期間中、ユーザに必要情報を提示しつつ、消費電力を低減する情報記録装置を提示することを目的とする。
【課題を解決するための手段】
【０００９】
上記の目的を達成するために、本発明に係る情報記録装置は、電池で動作する情報記録装置であって、挿抜可能な記録メディアに情報を記録する記録手段と、前記記録メディアのファイナライズ処理を行うファイナライズ処理手段と、ファイナライズ情報を文字又は図形で表示する表示手段と、前記ファイナライズ処理中、前記表示手段の表示を部分的に又は間欠的にオフにする制御手段とを具備することを特徴とする。
【００１０】
好ましくは、本発明に係る情報記録装置は更に、発光色、点滅又は点灯により前記ファイナライズ処理の状況を表示する発光表示手段を具備することを特徴とする。
【００１１】
好ましくは、本発明に係る情報記録装置は、前記表示手段が表示パネルとバックライトとを具備し、前記制御手段が、前記バックライトを点灯した状態での前記表示パネルの情報表示と、前記バックライトの点灯のみの状態とを切り換えることを特徴とする。
【００１２】
好ましくは、本発明に係る情報記録装置は、前記表示手段が、表示パネルとバックライトとを具備し、前記制御手段が、前記バックライトを点灯した状態での前記表示パネルの情報表示と、前記バックライトの部分的な点灯状態での前記表示パネルの一部の表示領域を使った表示とを切り換えることを特徴とする。
【発明の効果】
【００１３】
本発明によれば、表示手段の動作を制御して消費電力を低減することで電池動作におけるディスク記録装置の確実なファイナライズ処理を実現できる。また、消費電力の低減により、電池使用時間を延ばす効果がある。
【発明を実施するための最良の形態】
【００１４】
以下、図面を参照して、本発明の実施例を詳細に説明する。
【実施例１】
【００１５】
図１は、本発明の一実施例である撮像装置の概略構成ブロック図を示す。図１では、実線は画像データ又は音声データの流れを示し、破線は、検出信号、時間信号、イネーブル信号、及び種々の制御信号を示す。
【００１６】
撮像装置１０は、動画像を光ディスクに記録再生する記録再生装置である。撮像装置１０は、撮像ユニット１２として、撮影レンズ１４、撮像素子１６、Ａ／Ｄ変換器１８及びカメラ信号処理装置２０を具備する。撮影レンズ１４は、被写体の光学像を撮像素子１６の撮像面に結像する。撮像素子１６は、撮影レンズ１４による光学像を電気画像信号に変換する。撮像素子１６は、例えば、ＣＣＤ（Charge Coupled Devices）撮像素子又はＣＭＯＳ（Complementary Metal Oxide Semiconductor）撮像素子等である。
【００１７】
Ａ／Ｄ変換器１８は、撮像素子１６からのアナログ画像信号をデジタル信号に変換する。カメラ信号処理装置２０は、Ａ／Ｄ変換器１８からのデジタル画像信号カメラで周知の信号処理（例えば、ガンマ補正、色バランス調整、輝度／色分離）等を施す。セレクタ２２は、被写体画像をモニタする撮像モード時と、被写体画像を録画する録画モード時には、カメラ信号処理装置２０の出力を選択し、再生モードでは、後述するＭＰＥＧデコーダ４０の出力を選択する。
【００１８】
ＬＣＤ駆動装置２４は、セレクタ２２からのデジタル画像信号又は内蔵するブルーバック等の単一色の背景画像信号にシステム制御装置５０からのメニュー情報等を重畳する重畳器として機能し、その重畳結果で表示装置２６の液晶表示パネル（ＬＣＤパネル）２６ａを駆動する。これにより、撮像素子１６に入射する画像がＬＣＤパネル２６ａの画面上に表示される。表示装置２６は、ＬＣＤパネル２６ａと、ＬＣＤパネル２６ａの背面に位置する昭明光源、いわゆるバックライト２６ｂとからなる。バックライト２６ｂは発光ダイオードからなる。冷陰極線管でもよいが、発光ダイオードの方が、発熱が無い又は少ないこと、消費電力が小さい点で、有利である。また有機ＥＬ素子でもよい。
【００１９】
マイクロフォン２８は、周囲の音声を電気音声信号に変換する。アンプ３０は、マイクロフォン６２からの電気音声信号を増幅し、Ａ／Ｄ変換器３２は、アンプ３０の出力音声信号をデジタル信号に変換する。
【００２０】
ＭＰＥＧエンコーダ３４は、被写体画像と周囲の音声を記録媒体３８に記録する録画モード時に動作する。ＭＰＥＧエンコーダ３４には、カメラ信号処理装置２０から被写体のデジタル画像信号が供給され、Ａ／Ｄ変換器３２から周囲のデジタル音声信号が供給される。ＭＰＥＧエンコーダ３４は、ＭＰＥＧ２又はＭＰＥＧ４等の動画圧縮方式でカメラ信号処理装置２０からのデジタル画像信号を圧縮符号化すると共に、Ａ／Ｄ変換器３２からのデジタル音声信号を圧縮符号化する。
【００２１】
記録再生装置３６は、ＤＶＤ−Ｒドライブ等であり、ＭＰＥＧエンコーダ３４からの圧縮データを記録媒体３８に記録する。また、記録再生装置３６は、ファイナライズ処理を施す機構も備えており、システム制御装置５０からの指示でファイナライズ処理を施し、ファイナライズ処理中を示す信号をシステム制御装置５０に出力する。さらに、記録再生装置３６は、再生モードでは、記録媒体３８から指定された画像の圧縮画像データを読み出し、ＭＰＥＧデコーダ４０に供給する。
【００２２】
記録媒体３８は、ＤＶＤ−Ｒメディアである。なお、記録媒体３８は、ＤＶＤ−Ｒ以外にも、他の記録媒体を用いることができる。ＤＶＤ−Ｒ以外の記録媒体を用いた場合であっても、ファイナライズ処理が必要な記録媒体の場合には、以下に説明する処理を実行する。
【００２３】
ＭＰＥＧデコーダ４０は、記録再生装置３６からの圧縮データを伸長し、復元した画像データをセレクタ２２に供給し、復元した音声データをシステム制御装置５０に供給する。システム制御装置５０は、ＭＰＥＧデコーダ４０からの音声信号を必要によりスピーカ６６に供給する。
【００２４】
電池４２が、撮像装置１０の電源となる。電源供給装置４４は、電池４２の出力電力を、必要により電圧値を変換して、図示した各部に供給する。
【００２５】
システム制御装置５０は、撮像装置１０の全体を制御するＭＰＵ（Micro Processing Unit）又はマイクロコンピュータからなる。システム制御装置５０は、ＲＡＭ（Random Access Memory）と、電源オフ時にも設定値を保持するＥＥＰＲＯＭ（Electronically Erasable and Programmable Read Only Memory）等からなるメモリを内蔵する。ＲＡＭは、記録データの加工や記録データを展開するためのワークバッファとして利用され、更には、各種設定を一時的に格納する手段、又は、外部インターフェースから入力されたデータ及びコマンド、並びに外部インターフェースに出力するデータ及びコマンドを格納する手段として利用される。メモリのＥＥＰＲＯＭは、例えば、メニュー画面で設定される設定値を保持する。
【００２６】
システム制御装置５０は、電池４２の残量を検出する残量検出装置５２と、電池４２の残量及び動作状態に従い、電源供給装置４４による電源供給を制御する電力制御装置５４とを具備する。残量検出装置５２及び電力制御装置５４は、実際には、システム制御装置５０で動作するソフトウエアからなる。バックライト駆動回路５６は、電源供給装置４４からの電力供給を受けて、表示装置２６のバックライト２６ｂを駆動する。電力制御装置５４は、残量検出装置５２の検出結果（電池４２の残量）と撮像装置１０の動作状態に従い、バックライト駆動装置５６を制御して、バックライト２６ｂの点灯／消灯／照度を制御する。
【００２７】
センサ５８は、ジャイロセンサ等からなる振動検出装置６０と、周囲の明るさを検出するフォトダイオード（ＰＤ）６２とからなる。センサ５８は、感知結果をシステム制御装置５０に供給する。システム制御装置５０は、フォトダイオード６２の出力、即ち、周囲の明るさに従い、バックライト２６ｂの明るさを調節する。
【００２８】
スピーカ６６は、再生音声を出力するためだけではなく、種々の情報を音声でユーザに伝えるためにも利用される。
【００２９】
操作装置６８は、モードダイヤル、レリーズスイッチ、動画像撮影スイッチ、再生スイッチ、停止スイッチ、メニューボタン、十字キー及び決定ボタン等を具備する。モードダイヤルは、電源ＯＮ／ＯＦＦモード、撮影モード、記録モード及び再生モード等の動作モードの切替えに利用される。レリーズスイッチは静止画像撮影に使用される。動画像撮影スイッチは動画像撮影の撮影開始／停止に使用される。再生スイッチは再生動作の開始、停止スイッチは再生動作の停止に使用される。メニューボタンは、メニュー画面の表示に使用される。十字キーと決定ボタンは、各種設定の選択と決定等に使用される。
【００３０】
発光表示装置７０は、青色発光ダイオード及び赤色発光ダイオードを含む複数の発光素子から構成されており、システム制御装置５０からの指示に従い、指定の色又はパターンで点灯又は点滅する。タイマ７２は、時間を計時する。システム制御装置５０は、タイマ７２の計時時間情報をＬＣＤ駆動装置２４に供給する。タイマ７２は、種々の経過時間、例えば、記録再生装置３２のファイナライズ処理時間等を計測するのに使用される。
【００３１】
本実施例の撮影モードの基本動作を説明する。撮影モードでは、セレクタ２２は、カメラ信号処理装置２０の出力を選択している。撮像素子１６は、撮影レンズ１４による被写体の光学像に対応する画像信号を出力する。Ａ／Ｄ変換器１８は、撮像素子１６からのアナログ画像信号をデジタル画像信号に変換する。カメラ信号処理装置２０は、Ａ／Ｄ変換器１８の出力画像信号に周知のカメラ信号処理を施す。カメラ信号処理装置２０の出力画像データは、セレクタ２２を介してＬＣＤ駆動装置２４に印加される。ＬＣＤ駆動装置２４は、セレクタ２２からの画像信号に、システム制御装置５０からのタイマ、電池残量及び撮影時間等のデータ等を重畳した合成画像信号により、ＬＣＤパネル２６ａを駆動する。これにより、ユーザは、ＬＣＤパネル２６ａの表示画面上で、撮像素子１６に入射する光学像の構図と、撮影時間及び電池残量等の情報を視覚的に確認できる。
【００３２】
ユーザの記録開始の指示に応じて、ＭＰＥＧエンコーダ３４がカメラ信号処理装置２０の出力画像データと、マイク２８による入力音声を圧縮符号化し、圧縮データを記録再生装置３６に供給する。記録再生装置３６は、圧縮データを記録媒体３８に記録する。このようにして、被写体の画像と周囲の音声からなる動画データが圧縮状態で記録媒体３８に格納される。
【００３３】
再生モードでは、セレクタ２２は、ＭＰＥＧデコーダ４０の出力を選択する。記録再生装置３６は、ユーザにより指定された動画の圧縮データを記録媒体３８から読み出し、ＭＰＥＧデコーダ４０に供給する。ＭＰＥＧデコーダ４０は、記録再生装置３６からの圧縮データを伸長して、画像データと音声データを復元する。復元された画像データは、セレクタ２２を介してＬＣＤ駆動装置２４に印加される。復元された音声データは、システム制御装置５０に供給される。
【００３４】
ＬＣＤ駆動装置２４は、セレクタ２２からの画像データにシステム制御装置５０からの種々のデータを重畳し、重畳結果をＬＣＤパネル２６ａに供給する。これにより、再生画像がＬＣＤパネル２６aの画面上に表示される。システム制御装置５０はまた、ＭＰＥＧデコーダ４０からの再生音声データをスピーカ６６に供給する。これにより、再生音声がスピーカ６６から出力される。
【００３５】
本実施例の特徴的な動作であるファイナライズ処理中の動作を説明する。図２は、本実施例１におけるファイナライズ処理の動作フローチャートであり、図３は、表示装置２６の表示をオンにしたときのＬＣＤパネル２６ａの表示例を示す。図４は、表示装置２６の表示をオフにしたときのＬＣＤパネル２６ａの表示例を示す。
【００３６】
ユーザが操作装置６８によりファイナライズ処理の開始を指示すると、システム制御装置５０は、記録再生装置３６にファイナライズ処理の開始を指示する。ファイナライズ処理が開始されると、システム制御装置５０は、図３に示すような、ファイナライズ中であること、ファイナライズ処理残り時間、バッテリ残量、及び衝撃禁止を示すメッセージをＬＣＤパネル２６ａ上に１０秒間、表示させる（Ｓ１）。このとき、システム制御装置５０は、フォトダイオード６２の出力を参照し、バックライト２６ｂの照度を周囲の明るさに応じた程度、具体的には、表示情報を確認できれば良い程度に低減する。本実施例では、このメッセージを、ファイナライズ処理開始から１０秒間、表示するが、勿論、より長くても短くてもよい。
【００３７】
１０秒間が経過すると、図４に示すように表示装置２６の表示をオフにし、発光表示装置７０の青色ＬＥＤを点滅させる（Ｓ２）。青色ＬＥＤの点滅により、ユーザにファイナライズ処理中であることを知らせる。表示装置２６の表示をオフにする方法として、より具体的には、ＬＣＤパネル２６ａ、バックライト２６ｂ及びバックライト駆動回路５６への電源供給をオフにする。これにより、電池４２の消費を少なくできる。
【００３８】
但し、ユーザが操作装置６８を操作するか（Ｓ３）、又は、振動検出センサ６０が一定以上の振動を検出した場合には（Ｓ４）、図３に示すような表示装置２６の表示を再度、１０秒間、実行し（Ｓ１）、その後、発光表示装置７０の青色ＬＥＤを点滅状態にする（Ｓ２）。これにより、ファイナライズ中であることをユーザが忘れて、別の操作をしようとした場合に、表示装置２６でファイナライズ中をユーザに明確に示すことができる。また、ファイナライズ処理に悪影響を与えるような振動を、表示装置２６でユーザに知らせることができる。勿論、ユーザがファイナライズ処理の進行具合を確認したい場合には、操作装置６８の何れかを触れば良いので、簡単に確認できる。
【００３９】
ファイナライズ処理が失敗することなく正常に終了すると（Ｓ５，Ｓ６）、システム制御装置５０は、発光表示装置７０の青色ＬＥＤを点灯してファイナライズ処理の終了をユーザに通知し（Ｓ７）、終了する。このとき、表示装置２６は、表示オフの状態にある。ファイナライズ処理が終了するまで（Ｓ６）、ユーザ入力の有無（Ｓ３）、振動検出（Ｓ４）、及びファイナライズエラーの有無（Ｓ５）を調べる。
【００４０】
ファイナライズ処理中にファイナライズが失敗した場合には（Ｓ５）、システム制御装置５０は、発光表示装置７０の赤色ＬＥＤに点滅させ、ユーザにファイナライズエラーが発生したことを知らせる（Ｓ８）。ユーザ入力があるか、又は振動が検出されると（Ｓ９）、表示装置２６の画面表示を回復し、エラーメッセージを表示装置２６の画面に表示する（Ｓ１０）。
【００４１】
図２に示すフローの終了後は、ユーザが操作装置６８の何れかのキー又はボタンを操作することで、通常の表示状態に復帰する。
【００４２】
このように、本実施例では、表示装置２６の表示をオフ、好ましくは電源をオフにし、その代わりに消費電力の少ない発光表示装置７０を点灯・点滅させることで、動作状態をユーザに知らせるので、消費電力を低減できる。
【実施例２】
【００４３】
図５は、本発明の実施例２の動作フローチャートを示す。図２に示すフローのステップＳ２がステップＳ２２に変更されている。
【００４４】
ユーザが操作装置６８によりファイナライズ処理の開始を指示すると、システム制御装置５０は、記録再生装置３６にファイナライズ処理の開始を指示する。ファイナライズ処理が開始されると、システム制御装置５０は、図３に示すような、ファイナライズ中であること、ファイナライズ処理残り時間、バッテリ残量、及び衝撃禁止を示すメッセージをＬＣＤパネル２６ａ上に１０秒間、表示させる（Ｓ２１）。このとき、システム制御装置５０は、フォトダイオード６２の出力を参照し、バックライト２６ｂの照度を周囲の明るさに応じた程度に低減する。本実施例では、このメッセージを、ファイナライズ処理開始から１０秒間、表示するが、勿論、より長くても短くてもよい。
【００４５】
１０秒間が経過すると、図４に示すように表示装置２６の表示をオフにし、３０秒間毎に３秒間だけ、表示装置２６の表示を回復して、図３に示すように状況を表示し、以後、この間欠表示を繰り返す（Ｓ２２）。電池４２の消費を少なくできる。間欠表示の表示間隔は、３０秒に限定されないし、表示時間も３秒に限定されないことは明らかである。
【００４６】
但し、ユーザが操作装置６８を操作するか（Ｓ２３）、又は、振動検出センサ６０が一定以上の振動を検出した場合には（Ｓ２４）、図３に示すような表示装置２６の表示を再度、１０秒間、実行し（Ｓ２１）、その後、表示装置２６を間欠表示にする（Ｓ２２）。これにより、ファイナライズ中であることをユーザが忘れて、別の操作をしようとした場合に、表示装置２６でファイナライズ中をユーザに明確に示すことができる。また、ファイナライズ処理に悪影響を与えるような振動を、表示装置２６でユーザに知らせることができる。勿論、ユーザがファイナライズ処理の進行具合を確認したい場合には、操作装置６８の何れかを触れば良いので、簡単に確認できる。
【００４７】
ファイナライズ処理が失敗することなく正常に終了すると（Ｓ２５，Ｓ２６）、システム制御装置５０は、発光表示装置７０の青色ＬＥＤを点灯してファイナライズ処理の終了をユーザに通知し（Ｓ２７）、終了する。このとき、表示装置２６は、表示オフの状態にある。ファイナライズ処理が終了するまで（Ｓ２６）、ユーザ入力の有無（Ｓ２３）、振動検出（Ｓ２４）、及びファイナライズエラーの有無（Ｓ２５）を調べる。
【００４８】
ファイナライズ処理中にファイナライズが失敗した場合には（Ｓ２５）、システム制御装置５０は、発光表示装置７０の赤色ＬＥＤに点滅させ、ユーザにファイナライズエラーが発生したことを知らせる（Ｓ２８）。ユーザ入力があるか、又は振動が検出されると（Ｓ２９）、表示装置２６の画面表示を回復し、エラーメッセージを表示装置２６の画面に表示する（Ｓ３０）。
【００４９】
図５に示すフローの終了後は、ユーザが操作装置６８の何れかのキー又はボタンを操作することで、通常の表示状態に復帰する。
【００５０】
本実施例では、表示装置２６における表示動作を間欠的に行うことにより、消費電力を低減できる。
【実施例３】
【００５１】
図６は、本発明の実施例３の動作フローチャートを示す。図２に示すフローのステップＳ２がステップＳ４２に変更されている。
【００５２】
ユーザが操作装置６８によりファイナライズ処理の開始を指示すると、システム制御装置５０は、記録再生装置３６にファイナライズ処理の開始を指示する。ファイナライズ処理が開始されると、システム制御装置５０は、図３に示すような、ファイナライズ中であること、ファイナライズ処理残り時間、バッテリ残量、及び衝撃禁止を示すメッセージをＬＣＤパネル２６ａ上に１０秒間、表示させる（Ｓ４１）。このとき、システム制御装置５０は、フォトダイオード６２の出力を参照し、バックライト２６ｂの照度を周囲の明るさに応じた程度に低減する。本実施例では、このメッセージを、ファイナライズ処理開始から１０秒間、表示するが、勿論、より長くても短くてもよい。
【００５３】
１０秒間が経過すると、システム制御装置５０は、表示装置２６の画面表示をオフにしつつ、バックライト２６ｂを点滅させる（Ｓ４２）。このとき、ＬＣＤパネル２６ａ及びその駆動回路への電源供給を遮断する。バックライト２６ｂのみを動作させると、ＬＣＤパネル２６ａの表示画面は全画面白表示となる。これにより、ユーザにファイナライズ処理中であることを知らせる。
【００５４】
但し、ユーザが操作装置６８を操作するか（Ｓ４３）、又は、振動検出センサ６０が一定以上の振動を検出した場合には（Ｓ４４）、図３に示すような表示装置２６の表示を再度、１０秒間、実行し（Ｓ４１）、その後、表示装置２６のバックライトを点滅状態にする（Ｓ４２）。これにより、ファイナライズ中であることをユーザが忘れて、別の操作をしようとした場合に、表示装置２６でファイナライズ中をユーザに明確に示すことができる。また、ファイナライズ処理に悪影響を与えるような振動を、表示装置２６でユーザに知らせることができる。勿論、ユーザがファイナライズ処理の進行具合を確認したい場合には、操作装置６８の何れかを触れば良いので、簡単に確認できる。
【００５５】
ファイナライズ処理が失敗することなく正常に終了すると（Ｓ４５，Ｓ４６）、システム制御装置５０は、発光表示装置７０の青色ＬＥＤを点灯してファイナライズ処理の終了をユーザに通知し（Ｓ４７）、終了する。このとき、表示装置２６は、表示オフの状態にある。ファイナライズ処理が終了するまで（Ｓ４６）、ユーザ入力の有無（Ｓ４３）、振動検出（Ｓ４４）、及びファイナライズエラーの有無（Ｓ４５）を調べる。
【００５６】
ファイナライズ処理中にファイナライズが失敗した場合には（Ｓ４５）、システム制御装置５０は、発光表示装置７０の赤色ＬＥＤに点滅させ、ユーザにファイナライズエラーが発生したことを知らせる（Ｓ４８）。ユーザ入力があるか、又は振動が検出されると（Ｓ４９）、表示装置２６の画面表示を回復し、エラーメッセージを表示装置２６の画面に表示する（Ｓ５０）。
【００５７】
図６に示すフローの終了後は、ユーザが操作装置６８の何れかのキー又はボタンを操作することで、通常の表示状態に復帰する。
【００５８】
本実施例では、表示装置におけるＬＣＤパネル２６ａとその駆動回路への電源供給を止めることができ、消費電力を低減できる。
【実施例４】
【００５９】
図７は、本発明の実施例４におけるファイナライズ処理期間の動作を示すフローチャートである。
【００６０】
ユーザが操作装置６８によりファイナライズ処理の開始を指示すると、システム制御装置５０は、記録再生装置３６にファイナライズ処理の開始を指示する。ファイナライズ処理が開始されると、システム制御装置５０は、図３に示すような、ファイナライズ中であること、ファイナライズ処理残り時間、バッテリ残量、及び衝撃禁止を示すメッセージをＬＣＤパネル２６ａ上に１０秒間、表示させる（Ｓ６１）。このとき、システム制御装置５０は、フォトダイオード６２の出力を参照し、バックライト２６ｂの照度を周囲の明るさに応じた程度に低減する。本実施例では、このメッセージを、ファイナライズ処理開始から１０秒間、表示するが、勿論、より長くても短くてもよい。
【００６１】
１０秒間の表示が終了すると（Ｓ６１）、システム制御装置５０は、表示装置２６（ＬＣＤパネル２６ａ）の表示エリアを縮小し、バックライト２６ｂの発光する発光ダイオード数を減らす（Ｓ６２）。即ち、表示装置２６の表示エリアを、図８に示すエリア８０のように全画面の１／２に縮小し、画面中央に配置する。上下各々１／４を非表示エリア８２，８４として黒表示でマスクする。表示エリア８０で必要情報を表示する。
【００６２】
図９は、バックライト２６ｂの照明部分（明るい部分）の模式図を示す。図１０は、バックライト２６ｂの発光するＬＥＤ数を減らした場合の照明部分（明るい部分）を示す模式図である。図９及び図１０で、斜線を付加した領域９４，９６が明るい部分である。
【００６３】
バックライト２６ｂは、側面から内側に向けて等間隔に配置された４個のバックライト用ＬＥＤ８６，８８，９０，９２を具備する。４個のバックライト８６，８８，９０，９２が全て発光すると、図９の斜線を付した領域９４で示すように、ＬＥＤパネル２６ａの背面のほぼ全体が明るくなる。
【００６４】
これに対し、ＬＥＤ８８，９０のみを発光させると、図１０で斜線を付した領域９６のように、画面の上部分と下部分で明るくならない箇所ができる。しかし、図８に示すように、表示エリア８０を画面中央に限定する場合、表示エリア８０内の画像と情報をユーザが観察するのに支障ない。非表示エリア８２，８４は黒表示でマスクされているので、非表示エリア８２，８４の背面のバックライトは不要である。
【００６５】
このようにバックライト２６ｂの発光するＬＥＤ数を減らすことで、電池４２の消耗を減らすことが出来る。
【００６６】
ファイナライズ処理を失敗すると（Ｓ６３）、システム制御装置５０は、表示装置２６にエラーメッセージを表示して終了する（Ｓ６４）。ファイナライズ処理を失敗しなければ（Ｓ６３）、システム制御装置５０は、表示装置２６に正常終了を表示して終了する（Ｓ６５）。
【００６７】
図７に示すフローの終了後は、ユーザが操作装置６８の何れかのキー又はボタンを操作することで、表示装置２６は通常のフル画面表示状態に復帰する。
【００６８】
本実施例では、表示装置２６の表示領域を縮小すると共に、これに応じてバックライト２６ｂの照明領域を狭くすることで、消費電力を低減できる。
【００６９】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００７０】
【図１】本発明の実施例１における撮像装置の概略構成ブロック図を示す。
【図２】実施例１におけるファイナライズ処理中の動作フローチャートである。
【図３】表示装置２６の表示例である。
【図４】表示装置２６の表示オフの例である。
【図５】実施例２におけるファイナライズ処理中の動作フローチャートである。
【図６】実施例３におけるファイナライズ処理中の動作フローチャートである。
【図７】実施例４におけるファイナライズ処理中の動作フローチャートである。
【図８】実施例４での表示装置２６の表示例である。
【図９】バックライト２６ｂの照射範囲の模式図である。
【図１０】バックライト７６の照射範囲の模式図である。
【符号の説明】
【００７１】
１０  撮像装置
１２  撮像ユニット
１４  撮影レンズ
１６  撮像素子
１８  Ａ／Ｄ変換器
２０  カメラ信号処理装置
２２  セレクタ
２４  ＬＣＤ駆動装置
２６  表示装置
２６ａ  液晶表示（ＬＣＤ）パネル
２６ｂ  バックライト
２８  マイク
３０  アンプ
３２  Ａ／Ｄ変換器
３４  ＭＰＥＧエンコーダ
３６  記録再生装置
３８  記録媒体
４０  ＭＰＥＧデコーダ
４２  電池
４４  電源供給装置
５０  システム制御装置
５２  残量検出装置
５４  電力制御装置
５６  バックライト駆動装置
５８  センサ
６０  振動検出センサ
６２  フォトダイオード
６６  スピーカ
６８  操作装置
７０  発光表示装置
７２  タイマ
８０  表示エリア
８２，８４  非表示エリア
８６，８８，９０，９２  バックライト用ＬＥＤ
【図１】
2008171473.tif 000003
【図２】
2008171473.tif 000004
【図３】
2008171473.tif 000005
【図４】
2008171473.tif 000006
【図５】
2008171473.tif 000007
【図６】
2008171473.tif 000008
【図７】
2008171473.tif 000009
【図８】
2008171473.tif 000010
【図９】
2008171473.tif 000011
【図１０】
2008171473.tif 000012